(57)【要約】【課題】  製造コストの削減および軽量化を図ることができるトルクコンバータの羽根車を提供する。【解決手段】  鋳造によってシェル３０と一体的に成形された複数のブレード４０を有する。ブレード４０は、羽根車の軸方向に対して傾斜しており、圧力側に位置する内側面４１と負圧側に位置する外側面４２とを有する。また、羽根車の軸中心からの円周方向に沿ったブレード断面に関し、シェル３０の外周側と内周側の中間部における根元厚みは、内周側における根元厚みよりも、厚くなっている。【選択図】            図４
2004245412.tif 000002
【特許請求の範囲】
【請求項１】
鋳造によってシェルと一体的に成形された複数のブレードを有するトルクコンバータの羽根車であって、
前記ブレードは、羽根車の軸方向に対して傾斜しており、圧力側に位置する内側面と負圧側に位置する外側面とを有し、
羽根車の軸中心からの円周方向に沿ったブレード断面に関し、前記シェルの外周側と内周側の中間部における根元厚みは、前記内周側における根元厚みよりも、厚くなっていることを特徴とするトルクコンバータの羽根車。
【請求項２】
鋳造金型の回転抜き方向と、前記ブレード断面の内側面の稜線とで成す交差角θ１は、前記回転抜き方向と外側面の稜線とで成す交差角θ２以上であることを特徴とする請求項１に記載のトルクコンバータの羽根車。
【請求項３】
前記ブレード断面は、前記軸方向に対する傾斜角θＳによって規定される基準抜き方向線を含有しており、
前記傾斜角θＳ（度）は、下記の数式
θＳ＝ｔａｎ−１（Ｃ×Ｒ）
（但し、Ｒは、前記軸中心からの半径方向距離（ｍ）であり、Ｃは、形状パラメータ（ｒａｄ／ｍ）である）
によって定義されることを特徴とする請求項１に記載のトルクコンバータの羽根車。
【請求項４】
前記形状パラメータＣは、０〜３０（ｒａｄ／ｍ）の範囲にあることを特徴とする請求項３に記載のトルクコンバータの羽根車。
【請求項５】
前記軸方向に対する、前記ブレード断面の内側面の稜線の傾斜角θ１Ｒおよび外側面の稜線の傾斜角θ２Ｒは、下記の数式
θ１Ｒ＝θＳ−αおよびθ２Ｒ＝θＳ＋β
（但し、パラメータαおよびβは、一方が０の場合を含む正の定数である）
を満たすことを特徴とする請求項３又は請求項４に記載のトルクコンバータの羽根車。
【請求項６】
前記軸方向に対する、前記ブレード断面の内側面の稜線の傾斜角θ１Ｒおよび外側面の稜線の傾斜角θ２Ｒは、下記の数式
θ１Ｒ＝θＳ−αおよびθ２Ｒ＝θＳ＋β
（但し、パラメータαおよびβは、一方が０の場合を含む正の変数である）
を満たすことを特徴とする請求項３又は請求項４に記載のトルクコンバータの羽根車。
【請求項７】
前記パラメータαおよびβは、前記ブレード断面の先端側から根元側に向かって増加することを特徴とする請求項６に記載のトルクコンバータの羽根車。
【請求項８】
前記パラメータβは、前記ブレードの半径方向の所定の範囲において、増加していることを特徴とする請求項６又は請求項７に記載のトルクコンバータの羽根車。
【請求項９】
前記所定の範囲は、強度が必要とされる部位であることを特徴とする請求項８に記載のトルクコンバータの羽根車。
【請求項１０】
前記シェルに、タービンハブが圧入され、固定されていることを特徴とする請求項１〜９のいずれか１項に記載のトルクコンバータの羽根車。
【請求項１１】
前記シェルに、タービンハブが鋳包まれ、固定されていることを特徴とする請求項１〜９のいずれか１項に記載のトルクコンバータの羽根車。
【請求項１２】
前記シェルは、タービンハブがさらに一体的に成形されていることを特徴とする請求項１〜９のいずれか１項に記載のトルクコンバータの羽根車。
【請求項１３】
シェルと複数のブレードを有するトルクコンバータの羽根車の鋳造方法であって、
鋳造金型は、シェルの外周に対応するキャビティ面を有する固定型と、ブレードの外面に対応するキャビティ面を有する可動型とを有し、前記可動型は、羽根車の軸中心で回転自在かつ羽根車の軸方向に沿って移動自在であり、
前記ブレードは、前記軸方向に対して傾斜しており、圧力側に位置する内側面と負圧側に位置する外側面とを有し、
前記軸中心からの円周方向に沿ったブレード断面に関し、前記シェルの外周側と内周側の中間部における根元厚みは、前記内周側における根元厚みよりも、厚くなっており、
鋳造後、前記可動型を、前記軸中心で回転させながら前記軸方向に沿って移動させることで，前記固定型から前記可動型を分離する
ことを特徴とするトルクコンバータの羽根車の鋳造方法。
【発明の詳細な説明】
【技術分野】
【０００１】
本発明は、トルクコンバータの羽根車およびその製造法に関する。
【背景技術】
【０００２】
従来のトルクコンバータの羽根車におけるシェルは、複数のスリットが形成されており、ブレードに形成される複数の爪を挿入し、ローリング加工によって爪を折り曲げることにより、シェルにブレードが取付けられる（例えば、特許文献１参照。）。
【０００３】
また、ブレードの外周縁および内周縁にタブを形成し、コアおよびシェルに取付けているものもある（例えば、特許文献２参照。）。
【特許文献１】特開平８−１０５５０６号公報
【特許文献２】特開２００２−２９５６３２号公報
【発明の開示】
【発明が解決しようとする課題】
【０００４】
しかし、ブレードの部品点数が多く、ブレードをシェル（およびコア）に取付けるのに要する工数がかさむため、製造コストが上昇する問題を有する。また、各部品単独で必要な剛性を持たせるため、軽量化が困難である。
【０００５】
本発明は、上記従来技術に伴う課題を解決するためになされたものであり、製造コストの削減および軽量化を図ることができるトルクコンバータの羽根車およびその製造法を提供することを目的とする。
【課題を解決するための手段】
【０００６】
上記目的を達成するための請求項１に記載の発明は、
鋳造によってシェルと一体的に成形された複数のブレードを有するトルクコンバータの羽根車であって、
前記ブレードは、羽根車の軸方向に対して傾斜しており、圧力側に位置する内側面と負圧側に位置する外側面とを有し、
羽根車の軸中心からの円周方向に沿ったブレード断面に関し、前記シェルの外周側と内周側の中間部における根元厚みは、前記内周側における根元厚みよりも、厚くなっていることを特徴とするトルクコンバータの羽根車である。
【０００７】
上記目的を達成するための請求項１３に記載の発明は、
シェルと複数のブレードを有するトルクコンバータの羽根車の鋳造方法であって、
鋳造金型は、シェルの外周に対応するキャビティ面を有する固定型と、ブレードの外面に対応するキャビティ面を有する可動型とを有し、前記可動型は、羽根車の軸中心で回転自在かつ羽根車の軸方向に沿って移動自在であり、
前記ブレードは、前記軸方向に対して傾斜しており、圧力側に位置する内側面と負圧側に位置する外側面とを有し、
前記軸中心からの円周方向に沿ったブレード断面に関し、前記シェルの外周側と内周側の中間部における根元厚みは、前記内周側における根元厚みよりも、厚くなっており、
鋳造後、前記可動型を、前記軸中心で回転させながら前記軸方向に沿って移動させることで，前記固定型から前記可動型を分離する
ことを特徴とするトルクコンバータの羽根車の鋳造方法である。
【発明の効果】
【０００８】
上記のように構成した本発明は以下の効果を奏する。
【０００９】
請求項１に記載の発明によれば、シェルとブレードとが、鋳造によって一体的に形成されているため、羽根車の組立工数の大きな部分を構成するシェルとブレードの取付け工数を削減することができる。また、一体化部品として、必要な剛性を全体として持たせればよいため、軽量化が容易となる。一方、ブレードの中間部における根元厚みが、内周側よりも厚いため、駆動伝達効率の低下を引き起こす流体損失を低減することが可能である。つまり、良好な性能を維持しながらも、製造コストの削減および軽量化を図ることができるトルクコンバータの羽根車を提供することができる。
【００１０】
請求項１３に記載の発明によれば、鋳造された製品に対して干渉することなく可動型を分離することができるため、砂等の中子を用いる低圧鋳造に比べて、生産性に優れた高圧鋳造を適用することが可能である。また、製造されたシェルとブレードは、一体的に形成されているため、羽根車の組立工数の大きな部分を構成するシェルとブレードの取付け工数を削減することができる。さらに、一体化部品として、必要な剛性を全体として持たせればよいため、軽量化が容易となる。一方、製造された羽根車のブレードの中間部における根元厚みが、内周側よりも厚いため、駆動伝達効率の低下を引き起こす流体損失を低減することが可能である。つまり、良好な性能を維持しながらも、製造コストの削減および軽量化を図ることができるトルクコンバータの羽根車の製造方法を提供することができる。
【発明を実施するための最良の形態】
【００１１】
以下、本発明の実施の形態を、図面を参照しつつ説明する。図１は、実施の形態１に係るトルクコンバータのタービン部の断面図である。
【００１２】
実施の形態１に係るトルクコンバータは、例えば、自動変速機に接続されて、オートマチックトランスミッションを構成し、入力要素としてのポンプインペラ（羽根車）と、出力要素としてのタービンランナ（羽根車）２０とを有し、作動流体が内部に満たされる。
【００１３】
ポンプインペラは、エンジンのクランクシャフトによって回転するコンバータカバーに接続される。タービンランナ２０は、リベット６０によって固定されているタービンハブ７０のスプライン部７１を介して、自動変速機のインプットシャフトに接続される。
【００１４】
したがって、エンジンが回転すると、ポンプインペラおよびコンバータカバーが回転する。その結果、ポンプインペラのポンプ作用でタービンランナ２０が回転し、インプットシャフトに伝達される。
【００１５】
なお、タービンランナ２０は、外側に位置するシェル３０、複数のブレード４０、内側に位置するコア５０を有する。コア５０には、開口部５１が形成され、ブレード４０のコア側には、突起４３が形成されている。
【００１６】
ブレード４０とコア５０との接合は、ブレード４０の突起４３をコア５０の開口部５１から突出させ、かしめることによって達成される。なお、上記接合は、かしめに限定されず、溶接やろう付け等の適当な接合方法を適用することが可能である。
【００１７】
図２は、実施の形態１に係るタービンランナの断面図、図３は、タービンランナの平面図、図４は、図３の線ＩＶ−ＩＶに関する断面図、図５は、図３の線Ｖ−Ｖに関する断面図である。なお、図の簡略化のために、コア５０は省略されている。
【００１８】
シェル３０およびブレード４０は、鋳造によって一体的に成形され、ブレード４０は、シェル３０の円周方向に等間隔に配置される。シェル３０およびブレード４０の素材は、例えば、アルミニウムあるいはマグネシウム等の軽合金である。
【００１９】
したがって、タービンランナ２０の組立工数の大きな部分を構成するシェル３０とブレード４０との取付け工数が削減されるため、製造コストを低減できる。また、一体化部品として、必要な剛性を全体として持たせればよいため、軽量化が容易となる。
【００２０】
また、ブレード４０は、タービンランナ２０の軸方向に対して傾斜したテーパ形状であり、圧力側（圧力面側）に位置する内側面４１と負圧側（反圧力面側）に位置する外側面４２とを有する。
【００２１】
ブレード４０の周方向の中間部（シェル３０の外周側と内周側の中間に位置する部位）の根元厚み（図４参照）は、当該中間部の両側に位置するブレード４０の外周側および内周側の根元厚み（図５参照）以上である。つまり、タービンランナ２０の軸中心からの円周方向に沿ったブレード断面に関し、中間部における根元厚みは、内周側における根元厚みよりも厚くなっており、ブレード４０の根元厚みは、周方向中間部から外周側および内周側に向かって減少している。
【００２２】
したがって、駆動伝達効率の低下を引き起こす流体損失（剥離損失や圧力変化に伴う損失など）を低減することが可能である。なお、ブレード断面は、円周方向に沿っており、円筒面の一部を構成することになるが、図上においては、平面として表している。
【００２３】
以上のように、実施の形態１は、良好な性能を維持しながらも、製造コストの削減および軽量化を図ることができるトルクコンバータの羽根車を提供することができる。
【００２４】
なお、鋳造金型の回転抜き方向とブレード断面（ブレード４０）の内側面４１の稜線とで成す交差角θ１、および前記回転抜き方向と外側面４２の稜線とで成す交差角θ２は、鋳造上必要とされる抜け角度（例えば、２度）以上の値に設定されている。
【００２５】
また、交差角θ１は、鋳造金型の可動型（後述）のより円滑な分離のために、交差角θ２以上であることが好ましい。さらに、ブレード４０の外周側および内周側は、鋳造における溶湯流れや抜け角度を考慮し、必要最低限の肉厚を有することが好ましい。
【００２６】
図６は、タービンランナを製造するための鋳造金型を説明するための断面図である。
【００２７】
鋳造金型９０は、固定型９１と可動型９５とを有する。固定型９１は、シェル３０の外周に対応するキャビティ面９２を有する。可動型９５は、ブレード４０の外面に対応するキャビティ面９６を有し、タービンランナ２０の軸中心で回転自在かつタービンランナ２０の軸方向に沿って移動自在である。
【００２８】
次に、タービンランナの鋳造方法を説明する。図７（Ａ）〜図７（Ｃ）は、ブレードの周方向の中間部における可動型の分離を説明するための断面図、図８（Ａ）〜図８（Ｃ）は、ブレードの外周側および内周側における可動型の分離を説明するための断面図である。
【００２９】
まず、可動型９５を固定型９１に向かって移動させ、型締めし、例えば、アルミニウムあるいはマグネシウム等の軽合金からなる鋳造素材を導入し、シェル３０と複数のブレード４０を有するタービンランナを鋳造する。
【００３０】
その後、可動型９５を、タービンランナの軸中心で回転させながら、タービンランナの軸方向に沿って移動させる。この際、ブレード４０は、タービンランナの軸方向に対して傾斜しており、かつ、タービンランナの軸中心からの円周方向に沿ったブレード断面に関し、シェル３０の外周側と内周側の中間部における根元厚みは、内周側における根元厚みよりも、厚くなっている。
【００３１】
したがって、鋳造された製品つまりタービンランナに対して干渉することなく可動型９５を分離することができる。そのため、砂等の中子を用いる低圧鋳造に比べて、生産性に優れた高圧鋳造を適用することが可能である。
【００３２】
また、製造されたシェル３０とブレード４０は、一体的に形成されているため、タービンランナの組立工数の大きな部分を構成するシェル３０とブレード４０の取付け工数を削減することができる。さらに、一体化部品として、必要な剛性を全体として持たせればよいため、軽量化が容易となる。一方、製造されたタービンランナのブレードの中間部における根元厚みが、内周側よりも厚いため、駆動伝達効率の低下を引き起こす流体損失（剥離損失や圧力変化に伴う損失など）を低減することが可能である。
【００３３】
さらに、ブレード４０の内側面４１の交差角θ１は、外側面４２の交差角θ２以上である。したがって、図７（Ａ）〜図７（Ｃ）に示されるように、可動型９５は、タービンランナに対して干渉することなく、確実かつ円滑に分離される。
【００３４】
また、ブレード４０の外周側および内周側の肉厚は、鋳造における溶湯流れや可動型９５の回転抜き方向を考慮した必要最低限であることが好ましい。この場合、図８（Ａ）〜図８（Ｃ）に示されるように、可動型９５は、ブレード４０の外周側および内周側に関しても干渉することなく、さらに確実かつ円滑に分離される。
【００３５】
以上のように、実施の形態１は、良好な性能を維持しながらも、製造コストの削減および軽量化を図ることができるトルクコンバータの羽根車の製造方法を提供することができる。
【００３６】
図９は、実施の形態２に係るタービンランナを説明するための断面図である。タービンランナ１２０は、コアを有しない点で、実施の形態１に係るタービンランナ２０と概して異なっている。
【００３７】
タービンランナ１２０は、ブレード１４０の上端を支持固定する機能をコア側に求めることができないが、ブレード１４０はシェル１３０と一体に鋳造されるため、ブレード１４０の姿勢精度は、鋳造金型の精度に、基本的に対応する。したがって、実施の形態２は、コア無しタイプであるが、ブレード１４０の姿勢精度を、バラツキ無く確保することが可能である。
【００３８】
図１０は、実施の形態３に係るタービンランナを説明するための断面図である。タービンランナ２２０は、タービンハブ２７０が圧入され、固定されている点で、実施の形態１に係るタービンランナ２０と概して異なっている。つまり、タービンランナ２２０とタービンハブ２７０とは、リベットによって固定されていない。
【００３９】
タービンハブ２７０は、例えば、鋼製であり、出力トルクを伝達するスプライン部２７１を含んでおり、略円管形状である。また、摩擦を向上させるために、タービンハブ２７０の外周部２７２に、例えば、ローレット加工が施されている。
【００４０】
したがって、実施の形態３においては、タービンハブ２７０のサイズおよび加工個所が削減できるため、製造コストを低減することが可能である。なお、摩擦を向上させるための加工は、必要に応じて、省略することも可能である。
【００４１】
図１１は、実施の形態４に係るタービンランナを説明するための断面図である。タービンランナ３２０は、鋳包まれたタービンハブ３７０を有する点で、圧入されたタービンハブ２７０を有する実施の形態３に係るタービンランナ２２０と概して異なっている。つまり、ブレード３４０とシェル３３０を一体的に鋳造する際に、シェル３３０に、タービンハブ３７０が鋳包まれ、固定される。
【００４２】
タービンハブ３７０は、出力トルクを伝達するスプライン部３７１を含んでおり、略円管形状である。なお、摩擦を向上させるために、タービンハブ３７０の外周部３７２に、例えば、スプライン歯状の凹凸部３７３が形成されている。
【００４３】
したがって、実施の形態４においては、タービンハブ３７０のサイズおよび加工個所が削減でき、かつ、タービンハブ３７０を取付けて固定するための独立した工程が不要である。そのため、製造コストを、さらに低減することが可能である。なお、摩擦を向上させるための加工は、必要に応じて、省略することも可能である。
【００４４】
図１２は、実施の形態５に係るタービンランナを説明するための断面図である。タービンランナ４２０は、独立した部品としてのタービンハブを有していない点で、実施の形態１〜４に係るタービンランナ２０，１２０，２２０，３２０と概して異なっている。
【００４５】
つまり、ブレード４４０が一体化されたシェル４３０の軸側は、出力トルクを伝達するスプライン部４７１を含んでいる略円管形状部４７０を有しており、シェル４３０、ブレード４４０、タービンハブ（略円管形状部４７０）が、一体的に鋳造されている。なお、スプライン部４７１は、例えば、鉄溶射などによって表面硬化層４７３が形成されており、インプットシャフトの作用面圧に対する耐久性を向上させている。
【００４６】
したがって、実施の形態５においては、独立した部品としてのタービンハブが不要となり、取付け工数が削減されるため、製造コストをさらに低減できる。また、タービンハブを含んだ一体化部品として、必要な剛性を全体として持たせればよいため、軽量化がさらに容易となる。
【００４７】
図１３は、実施の形態６に係るタービンランナを説明するための斜視図、図１４および図１５は、基準抜き方向線を説明するための断面図および斜視図である。
【００４８】
タービンランナ５２０は、コアリングを有しないコアレスタイプであり、ブレード５４０の形状を詳細に規定している点で、実施の形態１に係るタービンランナ２０と概して異なっている。つまり、タービンランナ５２０の軸中心からの円周方向に沿ったブレード断面（ブレード５４０の断面）は、タービンランナ５２０の軸方向に対する傾斜角θＳによって規定される基準抜き方向線５９０を含有している。
【００４９】
傾斜角θＳ（度）は、数式（θＳ＝ｔａｎ−１（Ｃ×Ｒ））によって定義されるＲの関数である。但し、Ｒは、タービンランナ５２０の軸中心からの半径方向距離（ｍ）である。Ｃは、鋳造金型の回転抜き時における回転量および移動量に関連する形状パラメータ（ｒａｄ／ｍ）である。
【００５０】
半径方向距離Ｒに応じて連続的に変化する基準抜き方向線５９０によって形成される曲面５９５は、鋳造金型の回転抜きを可能とするブレード形状を定義する。当該ブレード形状は、肉厚が０である場合に対応している。したがって、必要に応じ、形状パラメータＣを適宜変更し、傾斜角θＳを調整することにより、流体性能を最適化することが可能である。
【００５１】
図１６は、形状パラメータＣに対する半径方向距離Ｒ−傾斜角θＳ線図である。なお、半径方向距離Ｒの単位は、ｍｍに換算して示している。
【００５２】
図に示されるように、半径方向距離Ｒが同一の場合、形状パラメータＣが増加するにつれて、傾斜角θＳが上昇する。また、形状パラメータＣの値が０でない場合、半径方向距離Ｒが増加するにつれて、傾斜角θＳが上昇する共通の傾向が存する。
【００５３】
なお、形状パラメータＣが０であり、傾斜角θＳが０となる場合、ブレード５４０は、タービンランナ５２０の軸方向に対して平行であり、シェル５３０から直角に延長していることになる。また、形状パラメータＣが３０（ｒａｄ／ｍ）であり、半径方向距離Ｒが１５０（ｍｍ）となる場合、傾斜角θＳは、約８０度となる。
【００５４】
一般的なタービンランナにおけるブレードが配置される半径方向範囲は、３０〜１５０（ｍｍ）である。一方、ブレードの傾斜角θＳは、８０度を越えると、流体性能を確保することが困難となる。したがって、形状パラメータＣは、０〜３０（ｒａｄ／ｍ）の範囲にあることが好ましい。
【００５５】
図１７は、実施の形態６の変形例１を説明するための断面図である。
【００５６】
タービンランナ５２０の軸方向に対する、ブレード断面の内側面５４１の稜線の傾斜角θ１Ｒおよび外側面５４２の稜線の傾斜角θ２Ｒは、数式（θ１Ｒ＝θＳ−α）および（θ２Ｒ＝θＳ＋β）を満たすことが好ましい。但し、パラメータαおよびβは、一方が０の場合を含む正の定数である。
【００５７】
内側面５４１および外側面５４２は、圧力側および負圧側に位置するため、パラメータαおよびβは、圧力側および負圧側のテーパ角度に対応する。したがって、パラメータαの値を、調整することで、ブレード５４０の流体性能を最適化することが可能である。一方、パラメータβの値を、調整することで、ブレード５４０の根元側における発生応力を低減することが可能である。
【００５８】
図１８は、実施の形態６の変形例２を説明するための断面図である。
【００５９】
パラメータαおよびβは、定数であることに限定されず、一方が０の場合を含む正の変数とすることも可能であり、半径方向距離Ｒや、シェル５３０からの直角方向の距離の関数とすることも可能である。
【００６０】
例えば、パラメータαおよびβをブレード断面の先端側から根元側に向かって増加させることで、ブレード５４０の形状をより詳細に規定し、性能向上を図ることも可能である。
【００６１】
図１９は、実施の形態６の変形例３を説明するための斜視図である。
【００６２】
パラメータβの増加は、ブレード５４０の根元側における発生応力を低減することが可能であるが、ブレード５４０の流体性能に影響を及ぼす虞がある。そのため、パラメータβを増加させる場合は、強度上の条件が激しい範囲（ブレード５４０の半径方向の所定の範囲）のみに限定し、ブレード５４０の流体性能に対する影響を抑制することが好ましい。
【００６３】
例えば、シェル５３０の外周側の端部近傍の強度上の条件が激しい位置（半径方向距離Ｒ１の位置）と、強度上の条件が緩くなる位置（半径方向距離Ｒ２の位置）との間の範囲において、パラメータβを他の部位に比べて増加させる。この場合、強度が必要とされる部位５４５の根元側の肉厚が増加するため、発生応力を効率的に低減することが可能である。
【００６４】
本発明は、上述した実施の形態に限定されるものではなく、特許請求の範囲の範囲内で種々改変することができる。
【００６５】
例えば、羽根車としてタービンランナを説明してきたが、ポンプインペラに対しても、同様に適用することが可能である。また、実施の形態６に係る構成を、実施の形態１〜５に適用し、組み合わせることも可能である。
【図面の簡単な説明】
【００６６】
【図１】実施の形態１に係るトルクコンバータのタービン部の断面図である。
【図２】実施の形態１に係るタービンランナの断面図である。
【図３】図２のタービンランナの平面図である。
【図４】図３の線ＩＶ−ＩＶに関する断面図である。
【図５】図３の線Ｖ−Ｖに関する断面図である。
【図６】実施の形態１に係るタービンランナを製造するための鋳造金型を説明するための断面図である。
【図７】（Ａ）〜（Ｃ）は、ブレードの周方向の中間部における可動型の分離を説明するための断面図である。
【図８】（Ａ）〜（Ｃ）は、ブレードの外周側および内周側における可動型の分離を説明するための断面図である。
【図９】実施の形態２に係るタービンランナを説明するための断面図である。
【図１０】実施の形態３に係るタービンランナを説明するための断面図である。
【図１１】実施の形態４に係るタービンランナを説明するための断面図である。
【図１２】実施の形態５に係るタービンランナを説明するための断面図である。
【図１３】実施の形態６に係るタービンランナを説明するための斜視図である。
【図１４】基準抜き方向線を説明するための断面図である。
【図１５】基準抜き方向線を説明するための斜視図である。
【図１６】形状パラメータＣに対する半径方向距離Ｒ−傾斜角θＳ線図である。
【図１７】実施の形態６の変形例１を説明するための断面図である。
【図１８】実施の形態６の変形例２を説明するための断面図である。
【図１９】実施の形態６の変形例３を説明するための斜視図である。
【符号の説明】
【００６７】
１０・・タービン部、
２０・・タービンランナ（羽根車）、
３０・・シェル、
４０・・ブレード、
４１・・内側面、
４２・・外側面、
４３・・突起、
５０・・コア、
５１・・開口部、
６０・・リベット、
７０・・タービンハブ、
７１・・スプライン部、
９０・・鋳造金型、
９１・・固定型、
９５・・可動型、
９２・・キャビティ面、
９６・・キャビティ面、
１２０・・タービンランナ、
１３０・・シェル、
１４０・・ブレード、
２２０・・タービンランナ、
２３０・・シェル、
２４０・・ブレード、
２５０・・コア、
２７０・・タービンハブ、
２７２・・外周部、
３２０・・タービンランナ、
３３０・・シェル、
３４０・・ブレード、
３５０・・コア、
３７０・・タービンハブ、
３７２・・外周部、
３７３・・凹凸部、
４２０・・タービンランナ、
４３０・・シェル、
４４０・・ブレード、
４７０・・略円管形状部（タービンハブ）、
４７１・・スプライン部、
４７３・・表面硬化層、
５２０・・タービンランナ、
５３０・・シェル、
５４０・・ブレード、
５４１・・内側面、
５４２・・外側面、
５４５・・部位、
５９０・・基準抜き方向線、
５９５・・曲面、
Ｃ・・形状パラメータ、
Ｒ，Ｒ１，Ｒ２・・半径方向距離、
α，β・・パラメータ、
θ１，θ２・・交差角、
θ１Ｒ，θ２Ｒ，θＳ・・傾斜角。
【図１】
2004245412.tif 000003
【図２】
2004245412.tif 000004
【図３】
2004245412.tif 000005
【図４】
2004245412.tif 000006
【図５】
2004245412.tif 000007
【図６】
2004245412.tif 000008
【図７】
2004245412.tif 000009
【図８】
2004245412.tif 000010
【図９】
2004245412.tif 000011
【図１０】
2004245412.tif 000012
【図１１】
2004245412.tif 000013
【図１２】
2004245412.tif 000014
【図１３】
2004245412.tif 000015
【図１４】
2004245412.tif 000016
【図１５】
2004245412.tif 000017
【図１６】
2004245412.tif 000018
【図１７】
2004245412.tif 000019
【図１８】
2004245412.tif 000020
【図１９】
2004245412.tif 000021